(57)【要約】【構成】戸口側端部に支軸３を突設した取付板端部が張り出すように扉の上、下側方に固設し、取付板４の支軸３で回動自在に支軸受部材５の前縁上面に係止縁を形成し、支軸受部材５の側方に扉側支軸６を突設し、扉側支軸６は上部補強板２´と回転自在にし、扉の内方に溶接固定する。前記支軸受部材５の切欠溝８に係合するように、上部補強板２´に形成した折り曲げ凸起７を設け、扉２は支軸３を支点として前記凸起７が支軸受部材５の切欠溝８に係止したままで略９０度回動し、さらに扉２は扉側支軸６を支点として回動させ、凸起７が略９０度回動し支軸受部材５の端部に形成した係止部と当接し扉２が略１８０度開き、停止できるようにした家具における扉の蝶番装置。【効果】構造が複雑であったものを簡単な構造にしたことで、組立が簡易になり、しかも部品点数を減ずることにより工数も減じることができ、コスト減を図ることができた。【選択図】      図２
2004169440.tif 000002
【特許請求の範囲】
【請求項１】
扉を有する家具本体の戸口側端部に、端部に支軸を突設した取付板を、前記取付板端部が張り出すように上記扉の上、下側方に固設し、前記取付板の支軸で回動自在に取り付ける支軸受部材の前縁上面に係止縁を形成すると共に、前記支軸受部材の側方に下向きに扉側支軸を突設し、該扉側支軸は上部補強板に回転自在にカシメ固設され、上部補強板は扉の内方に溶接固定する。前記支軸受部材の一端に形成した切欠溝に係合するように、上部補強板に形成した折り曲げ凸起を設け、前記扉を前記支軸を支点として前記上部補強板に形成した折り曲げ凸起が支軸受部材の切欠溝に係止したままで略９０度回動し、さらに該扉の回動は前記扉側支軸を支点として回動し得るようにし、前記凸起が略９０度回動し支軸受部材の端部に形成した係止部と当接し扉が略１８０度開き、停止できるようにしたことを特徴とする家具における扉の蝶番装置。
【発明の詳細な説明】
【０００１】
【発明の属する技術分野】
本発明は、家具類における扉の蝶番装置に関するものである。
【０００２】
【従来の技術】
従来、扉を有する家具本体戸口の側端部に端部に支軸を突設した取付板を上記端部を上記扉の上方に張出せしめて固定すると共に、上記扉には軸受筒を突設した取付板を固定し、該軸受筒には前縁上面に係止縁、外側端部に軸受孔をそれぞれ設け、上記扉の上面に沿い配置された連結板の内側端部に突設した支軸を回転自在に嵌合支承せしめると共に、上記連結板の軸受孔には上記本体側支軸を回転自在に嵌合し、上記連結板と扉側取付板の間に戻しばねを装着し、該戻しばねで弾発して上記扉側取付板後縁の外側寄りに突設した係止片の後縁に係止し、上記扉の連結板と共に上記本体側支軸を支点として上記係止縁が上記張出端部の側縁に係止するまで回動し、さらに上記扉が上記回動により前方に移動した扉側支軸を支点とし、上記戻しばねに抗し上記係止片が連結板後縁の内側端部に係止するまで回動し得るように構成した家具類における扉の蝶番装置（例えば、特許文献１参照）が従来から知られているところである。
【０００３】
【特許文献１】
実公昭５８−１５５７４号公報（実用新案登録請求の範囲、第２図、第３図、第４図）
【０００４】
【発明が解決しようとする課題】
しかしながら、前記従来の家具類における扉の蝶番装置は構造が複雑で、部品点数が多いという問題点があった。それは、扉側取付板の下向に突設した軸受筒に回動自在に嵌合して端部には止輪を取付け、さらに扉側取付板に突設した係止片が支軸受部材に形成した切欠溝に係合して回動し得る蝶番装置において、支軸の下端部周面に係止突起を突設し、この係止突起が貫通する貫通溝を設け、ガタツキを防止するようにした扉の蝶番装置である。これに対して、本発明の蝶番はこれらから具体的に部品点数を減ずるために削除できた部品は扉側取付板、軸受筒、止輪、係止突起、貫通溝である。また、従来の蝶番装置は各部品を組み立てて、前もって扉と同色に塗装をし、これをすでに塗装された扉にネジ止めするので、塗装工程が２度となるという問題点があった。
【０００５】
本発明は、前記問題点の解決を図ったものであり、扉を有する家具本体の戸口側端部に、端部に支軸を突設した取付板を、前記取付板端部が張り出すように上記扉の上、下側方に固設し、前記取付板の支軸で回動自在に取り付ける支軸受部材の前縁上面に係止縁を形成すると共に、前記支軸受部材の側方に下向きに扉側支軸を突設し、該扉側支軸は上部補強板に回転自在にカシメ固設され、上部補強板は扉の内方に溶接固定する。前記支軸受部材の一端に形成した切欠溝に係合するように、上部補強板に形成した折り曲げ凸起を設け、前記扉を前記支軸を支点として前記上部補強板に形成した折り曲げ凸起が支軸受部材の切欠溝に係止したままで略９０度回動し、さらに該扉の回動は前記扉側支軸を支点として回動し得るようにし、前記凸起が略９０度回動し支軸受部材の端部に形成した係止部と当接し扉が略１８０度開き停止できるようにした家具における扉の蝶番装置を提供することを目的とするものである。
【０００６】
【課題を解決するための手段】
本発明は、前記課題の解決を図ったもので、次のような技術手段を採用した。請求項１記載の発明においては、扉を有する家具本体の戸口側端部に、端部に支軸を突設した取付板を、前記取付板端部が張り出すように上記扉の上、下側方に固設し、前記取付板の支軸で回動自在に取り付ける支軸受部材の前縁上面に係止縁を形成すると共に、前記支軸受部材の側方に下向きに扉側支軸を突設し、該扉側支軸は上部補強板に回転自在にカシメ固設され、上部補強板は扉の内方に溶接固定する。前記支軸受部材の一端に形成した切欠溝に係合するように、上部補強板に形成した折り曲げ凸起を設け、前記扉を前記支軸を支点として前記上部補強板に形成した折り曲げ凸起が支軸受部材の切欠溝に係止したままで略９０度回動し、さらに該扉の回動は前記扉側支軸を支点として回動し得るようにし、前記凸起が略９０度回動し支軸受部材の端部に形成した係止部と当接し扉が略１８０度開き停止できるようにするという技術手段を採用した。
【０００７】
【実施例】
以下、本発明の具体的な一実施例について説明する。
図１は、本発明の家具類における扉の蝶番装置の分解斜視図である。
ここで図１に基づいて蝶番装置全体の構造について説明する。
支軸３の上部を取付板４の側端部４ａにカシメ固設し、取付板４の他端部を家具本体１にネジ止めする。これと組み付ける支軸受部材５の前縁上面に係止縁５´を形成すると共に、上記支軸３に係合する軸受孔９を設け、この軸受孔９の側方に下向きに扉側支軸６を突設し、該扉側支軸６は上部補強板２´に回転自在にカシメ固設してなり、上部補強板２´は扉の内方に溶接固定して一体化した上で扉と一緒に塗装する。そして、さらに前記した家具本体１に固設した取付板４の端部４ａにカシメ固設した支軸３の下部凸軸を支軸受部材５の軸受孔９に回動自在に嵌合してカシメ固設することで扉の蝶番が完成するものである。
【０００８】
ここで、図１〜図３に基づいてさらに詳細に説明する。
本発明は、家具本体１の戸口に扉２を設けたものに採用する蝶番装置である。略Ｌ字形の取付板４の側端部４ａに支軸３の上部をカシメ固設したものを家具本体１の上方、下方のどちらか、あるいは上下方にネジ止めする。他方、これと組み付ける支軸受部材５の前縁上面に係止縁５´を形成すると共に、上記支軸３に係合する軸受孔９を穿設し、この軸受孔９の側方に下向きに扉側支軸６を突設し、該扉側支軸６の下部を上部補強板２´にカシメ固設したものを扉２の内方からスポット溶接等で固定し、扉２と一緒にこの支軸受部材５を塗装する。この状態から家具本体１にネジ止めされた取付板４にカシメ固設された支軸３の下部を支軸受部材５の軸受孔９に回転自在に係合係止させることで蝶番の組み立てが完了する。この係合は、軸受孔９に切り欠き部９ａを形成し、この切り欠き部９ａと係合する突起３ａを支軸３の下部に設けることによって、ある一ヶ所では挿入係合でき、回動すると抜け出ないように係合する。
【０００９】
このように組み付けられた蝶番装置は以下のように作動する。
前記支軸受部材５の一端に形成した切欠溝８に係合するように上部補強板２´に形成した折り曲げ凸起７を設け、上記扉２を上部補強板２´と共に、上記支軸３を支点として、上記上部補強板２´に形成した折り曲げ凸起７が支軸受部材５の切欠溝８に係止したままで略９０度回動する。すると支軸受部材５に形成した係止縁５´が取付板４の側端部４ａで回動が停止され、さらに該扉２の回動は扉側支軸６を支点として回動し得るようにし、前記上部補強板２´に形成した凸起７が略９０度回動し、支軸受部材５の端部に形成した係止部と当接し扉２が略１８０度開き停止できる。さらに、この逆作用で扉２が開くようにした家具類における扉の蝶番装置である。
【００１０】
【発明の効果】
本発明は、以上の構成を採用した結果、次のような効果を得ることができる。
（１）構造が複雑であったものを簡単な構造にしたことで、組立が簡易になり、しかも部品点数を減ずることにより工数も減じることができ、コスト減を図ることができた。
（２）扉と蝶番を組み立てた後で同時に塗装が行えるので、塗装工程を１回減ずることができる。
【図面の簡単な説明】
【図１】本発明の一実施例である扉の蝶番装置の要部を分解して示す斜視図である。
【図２】本発明の家具本体に扉を最大に開いた状態を示す平面図である。
【図３】本発明の扉の裏面より見た蝶番装置の組立状態を示す正面図である。
【符号の説明】
１‥‥家具本体                          ２‥‥扉
２´・・・・上部補強板                        ３・・・・支軸
４・・・・取付板                            ５・・・・支軸受部材
６・・・・扉側支軸                          ７・・・・凸起
８・・・・切欠溝                            ９・・・・軸受孔
【図１】
2004169440.tif 000003
【図２】
2004169440.tif 000004
【図３】
2004169440.tif 000005